(57)【要約】      （修正有）【課題】蓋付き容器の、容器本体と蓋体とを接続する紐部材が容器本体の開口部と蓋体との間に挟まらないようにする。【解決手段】蓋付き容器３０は、上部に開口部３１ａを有した容器本体３１と、開口部３１ａを着脱自在に塞ぐ蓋体３２と、一端が蓋体３２に接続されるとともに、他端が容器本体３１内に保持される紐部材３３を備え、紐部材３３は容器本体３１内で垂れ下がるように所定の重量となるようにウェイト３４を取り付けた。【選択図】図２
2015083490.tif 000002
【特許請求の範囲】
【請求項１】
上部に開口部を有した容器本体と、
前記開口部を着脱自在に塞ぐ蓋体と、
一端が前記蓋体に接続されるとともに、他端が容器本体内に保持される紐部材を備えた蓋付き容器であり、
前記紐部材は前記容器本体内で垂れ下がるように所定の重量となるようにしたことを特徴とする蓋付き容器。
【請求項２】
請求項１に記載の蓋付き容器において、
前記紐部材には所定の重量のウェイトを取り付けたことを特徴とする蓋付き容器。
【請求項３】
請求項２に記載の蓋付き容器において、
前記ウェイトを前記紐部材の長手方向に移動自在に取り付けたことを特徴とする蓋付き部材。
【請求項４】
請求項１〜３の何れか１項に記載の蓋付き容器において、
前記紐部材に金属製部材を採用して所定の重量となるようにしたことを特徴とする蓋付き部材。
【発明の詳細な説明】
【技術分野】
【０００１】
本発明は、蓋付き容器に関し、特に、上部に開口部を有した容器本体と、開口部を着脱自在に塞ぐ蓋体と、一端が前記蓋体に接続されるとともに、他端が容器内に保持される紐部材を備えた蓋付き容器に関する。
【背景技術】
【０００２】
特許文献１には、液状薬剤、紛状薬剤等の薬剤を収容する蓋付き容器を搭載したミストブロワが開示されている。このミストブロワは、作業者が背負う背負フレームに空気を噴出するブロワユニットと、薬剤を収容する蓋付き容器とを搭載したものである。このミストブロワは、ブロワユニットの噴出ダクトに連通接続した送風管から空気を放出させるとともに、蓋付き容器から導出される薬剤を送風管から放出される空気とともに散布するようにしたものである。
【先行技術文献】
【特許文献】
【０００３】
【特許文献１】特開２０１３ー０８５５４０号公報
【発明の概要】
【発明が解決しようとする課題】
【０００４】
特許文献１のミストブロワにおいては、蓋付き容器は、上部に開口部を有する容器本体と、開口部を着脱自在に塞ぐ蓋体とを備えており、一端が蓋体に接続されるとともに、他端が容器本体内に保持される紐部材を備えるようにすれば、蓋体が紛失するのを防ぐことができる。しかし、蓋体により開口部を塞ぐときに、紐部材が蓋体と開口部との間に挟まり、開口部を蓋体により密閉できず、また、紐部材が蓋体と開口部とにより押しつぶされて切断されるおそれがあった。本発明は、蓋付き容器の、容器本体と蓋体とを接続する紐部材が容器本体の開口部と蓋体との間に挟まらないようにすることを目的とする。
【課題を解決するための手段】
【０００５】
上記課題を解決するために、本発明は、上部に開口部を有した容器本体と、開口部を着脱自在に塞ぐ蓋体と、一端が蓋体に接続されるとともに、他端が容器本体内に保持される紐部材を備えた蓋付き容器であり、紐部材は容器本体内で垂れ下がるように所定の重量となるようにしたことを特徴とする蓋付き容器を提供するものである。
【０００６】
上記のように構成した蓋付き容器においては、紐部材は容器内で垂れ下がるように所定の重量となるようにしたので、蓋体を開口部に装着するときに、紐部材が容器内で垂れ下がるので、紐部材が蓋体と開口部との間に挟まりにくくなった。
【０００７】
上記のように構成した蓋付き容器においては、紐部材には所定の重量のウェイトを取り付けるようにするのが好ましく、このようにしたときには、ウェイトにより紐部材が容器内で垂れ下がるようになり、紐部材が蓋体と開口部との間に挟まりにくくなった。また、ウェイトを紐部材の長手方向に移動自在に取り付けるようにするのが好ましい。
【０００８】
また、上記のように構成した蓋付き容器の他の実施形態においては、紐部材に金属製部材を採用して所定の重量となるようにしてもよい。
【図面の簡単な説明】
【０００９】
【図１】本発明の蓋付き容器を採用したミストブロワの一実施形態を斜め後方から見た斜視図である。
【図２】図１の蓋付き容器の内部を示す一部破断断面図である。
【発明を実施するための最良の形態】
【００１０】
以下、本発明の蓋付き容器を採用したミストブロワを添付図面を参照して説明する。図１に示したように、ミストブロワ１０は、作業者が背負う背負フレーム１１にブロワユニット２０と、蓋付き容器３０とを搭載し、ブロワユニット２０の噴出ダクト２１ａに空気を放出させる送風管２３を連通接続するとともに、送風管２３の先端部に蓋付き容器３０から導出した供給管３６を接続したものである。
【００１１】
図１及び図２に示したように、背負フレーム１１は作業者がブロワユニット２０を背負って運ぶためのものである。背負フレーム１１は、作業者の背中に沿って配置される背板部１２と、背板部１２の下端から後方に延びる台座部１３とからなり、側面から見た形状がＬ字形をしている。背負フレーム１１には作業者が背負う左右一対のショルダーストラップ１４が取り付けられている。
【００１２】
図１に示したように、台座部１３にはブロワユニット２０が搭載されている。ブロワユニット２０は、ボリュートケース２１と、ボリュートケース２１内に回転可能に支持したファン（図示省略）と、ボリュートケース２１に一体的に組み付けてファンを回転駆動させるエンジン２２とを備えている。図１に示したように、ボリュートケース２１の右側部には前側の吸気開口から吸い込んだ外気を噴出する噴出ダクト２１ａが一体的に形成されており、この噴出ダクト２１ａには送風管２３が連通接続されている。送風管２３には作業者が把持するグリップハンドル２４が設けられている。また、ボリュートケース２１には蓋付き容器３０内を加圧するための加圧管２１ｂが設けられており、加圧管２１ｂは蓋付き容器３０の上部の接続部３１ｂに接続されている。
【００１３】
図１及び図２に示したように、蓋付き容器３０は、液状、紛状または粒状の薬剤を収容するためのものであり、薬剤を収容する容器本体３１と、容器本体３１の上部の開口部３１ａを塞ぐ蓋体３２と、一端が蓋体３２に接続され、他端が容器本体３１内に保持された紐部材３３とを備えている。
【００１４】
容器本体３１の上部の開口部３１ａは短い円筒形状をしており、外周部に雄ねじが形成されている。容器本体３１の上部には筒形をした接続部３１ｂが設けられており、接続部３１ｂには加圧管２１ｂの先端部が螺合して固定されている。
【００１５】
蓋体３２は容器本体３１の開口部３１ａを着脱可能に塞ぐものである。蓋体３２は下側に開いた浅い円筒形をしており、筒部の内周面には容器本体３１の開口部３１ａの外周面の雄ねじに螺合する雌ねじが形成されている。
【００１６】
紐部材３３は蓋体３２が紛失するのを防ぐためのものである。紐部材３３は一端が蓋体３２に上壁下面に固定され、他端が容器本体３１内にて接続部３１ｂに保持されている。紐部材３３は容器本体３１内に収容した薬剤に腐食されないように、ポリプロピレン等の合成樹脂材よりなる。
【００１７】
紐部材３３にはウェイト３４が取り付けられており、このウェイト３４は紐部材３３が弛むことなく容器本体３１内に垂れ下がるようにしたものである。ウェイト３４は所定重量を有したステンレス等の金属部材よりなり、円柱形をした本体部３４ａの上部に上方に突出した突部３４ｂを有している。突部３４ｂには紐部材３３の径より大きな貫通孔３４ｂが形成されており、貫通孔３４ｂには紐部材３３が挿通されており、ウェイト３４は紐部材３３の長手方向に沿って移動可能となっている。
【００１８】
また、容器本体３１の開口部３１ａには内部に異物の混入を防ぐフィルタ３５が設けられており、フィルタ３５は上面が開口した略円筒形状をし、底壁が細かい網状となっている。フィルタ３５の上縁にはフランジ部３５ａが形成されており、フランジ部３５ａには紐部材３３が通過させる切欠き部３５ａ１が形成されている。切欠き部３５ａ１は紐部材３３が引っ掛かることのなく通過する大きさとなっており、紐部材３３は蓋体３２から切欠き部３５ａ１を通って、容器本体３１内に垂れ下がっている。このとき、ウェイト３４はフィルタ３５より下側に配置され、紐部材３３がフィルタ３５より上側に緩んだ状態で残らない。このように、容器本体３１の開口部３１ａにフィルタ３５を設けたときであっても紐部材３３はウェイト３４により容器本体２１内に垂れ下がり、紐部材３３がが開口部２１ａと蓋体３２との間に挟まりにくくなった。なお、フィルタ３５にはフランジ部３５ａに切欠き部３５ａ１を形成し、切欠き部３５ａ１に紐部材３３を通過させるようにしたが、これに限られるものでなく、底壁に異物が混入せずに紐部材３３が引っ掛かることのなく通過する程度（紐部材３３の直径より少し大きな）の貫通孔を形成し、この貫通孔に紐部材３３を通過させてもよい。この場合にも、ウェイト３４をフィルタ３５より下側に設けるようにする。また、容器本体３１の下部には送風管２３の先端部に薬剤を供給する供給管３６の基端部が接続されており、供給管３６の先端部は送風管２３の先端部に接続されている。
【００１９】
上記のように構成したミストブロワ１０の作動を説明する。作業者はエンジン２２の起動後に背負フレーム１１を背負い、右手に送風管２３のグリップハンドル２４を把持し、送風管２３の先端の放出口から空気を放出させる。また、蓋付き容器３０内は加圧管２１ｂによりボリュートケース２１から送出される空気により加圧された状態となっており、容器本体３１内に収容された薬剤は供給管３６により送風管２３の先端部に押し出され、送風管２３から放出される空気のベンチュリ効果によって、送風管２３から放出される空気とともに供給管３６から供給される薬剤が散布される。
【００２０】
上記のように構成したミストブロワ１０に採用した蓋付き容器３０は、上部に開口部３１ａを有した容器本体３１と、開口部３１ａを着脱自在に塞ぐ蓋体３２と、一端が蓋体３２に接続されるとともに、他端が容器本体３１内に保持される紐部材３３を備えものである。紐部材３３は容器本体３１内で垂れ下がるように所定の重量となるようにした。この実勢形態は、紐部材３３には所定の重量のウェイト３４を取り付けた。蓋体３２を容器本体３１の開口部３１ａに取り付けるときには、紐部材３３はウェイト３４によって容器本体３１内で下方に引っ張られるように垂れ下がることになり、紐部材３３が蓋体３２と開口部３１ａとの間で挟まりにくくなった。これにより、蓋付き容器３０が密閉できないことを防ぐとともに、紐部材３３が蓋体３２と開口部３１ａとの間で挟まって切断されるのを防ぐことができた。
【００２１】
また、ウェイト３４は紐部材３３の長手方向に移動可能に取り付けられたものである。蓋体３２を持ち上げて開口部３１ａから取り外すときには、ウェイト３４は紐部材３３の最も下側位置まで移動して、蓋体３２はウェイト３４に引っ張られることなく開口部３１ａから取り外される。また、蓋体３２を開口部３１ａに取り付けるときには、ウェイト３４は容器本体３１内にて紐部材３３を下方に引っ張り、紐部材３３を蓋体３２と開口部３１ａとの間に挟まらないようにしている。このように、ウェイト３４を紐部材３３の長手方向に移動可能に取り付けたことで、蓋体３２を取り外すときにウェイト３４によって重くならないようにしつつ、紐部材３３を確実に容器本体３１内に垂れ下がるようにすることができた。なお、本発明はこれに限られるものでなく、例えば、紐部材３３の長手方向の中央部（蓋体３２を開口部３１ａにとりつけたときに、紐部材３３の最も下側に垂れ下がる部分）にウェイト３４を紐部材３３の長手方向に移動することなく取り付けたものであってもよい。このようにしたときにも、紐部材３３を蓋体３２と開口部３１ａとの間で挟まりにくくする効果を得ることができる。さらに、紐部材３３を金属製のチェーンとすることにより、紐部材３３の全体または一部を所定の重量として容器本体３１内で垂れ下がるようにしてもよい。
【００２２】
上記の実施形態は、ミストブロワ１０に本願発明の蓋付き容器３０を採用したものであるが、本発明はこれに限られるものでなく、蓋付き容器３０を例えば内燃機関に用いる燃料タンク等に用いたものであってもよく、このようにしたときにも、上述したのと同様の作用効果を得ることができる。
【符号の説明】
【００２３】
３０…蓋付き容器、３１…容器本体、３１ａ…開口部、３２…蓋体、３３…紐部材、３４…ウェイト。
【図１】
2015083490.tif 000003
【図２】
2015083490.tif 000004